(57)【要約】      （修正有）【課題】情報処理装置に実施させている処理を直感的に他の情報処理装置に引き継がせることが出来る仕組みを提供する。【解決手段】引継元の情報処理装置で、処理中のデータの保存先を示す位置情報と、前記データに関する処理状況を示す進行情報と、前記データの処理に関わる設定を示す設定情報と、を含む引継情報を生成し、前記引継元の情報処理装置に非接触ＩＣカードをタッチすることで、前記生成した引継情報をカードに保存し、処理を引き継がせる情報処理装置に前記非接触ＩＣカードをタッチすることで、前記引継情報を引き継がせるようにした。【選択図】図１
2014177069.tif 000002
【特許請求の範囲】
【請求項１】
処理中のデータの保存先を示す位置情報と、前記データに関する処理状況を示す進行情報と、前記データの処理に関わる設定を示す設定情報と、を含む引継情報を生成する生成手段と、
無線通信装置との近距離無線通信の確立に応じて、前記引継情報を前記無線通信装置に出力する出力手段とを有することを特徴とする情報処理装置。
【請求項２】
無線通信装置との近距離無線通信の確立に応じて、前記無線通信装置から引継情報を取得する取得手段と、前記取得手段により取得した引継情報に含まれる位置情報に基づいてデータを受信する受信手段と、前記引継情報の内容に基づいて前記受信手段により取得したデータを処理する処理手段とを有することを特徴とする情報処理装置。
【請求項３】
前記データは印刷データであり、前記位置情報は当該印刷データの保存先を示し、前記進行情報は前記印刷データの印刷処理の状況を示し、前記設定情報は前記印刷処理の設定であり、前記生成手段は印刷エラーの発生に応じて前記引継情報を生成することを特徴とする請求項１に記載の情報処理装置。
【請求項４】
前記進行情報は、印刷エラーが発生したページを示す情報を含むことを特徴とする請求項３に記載の情報処理装置。
【請求項５】
前記進行情報は、印刷エラーが発生するまでに出力を完了したページを示す情報を含むことを特徴とする請求項３に記載の情報処理装置。
【請求項６】
第１の情報処理装置との近距離無線通信の確立に応じて、第１の情報処理装置によるデータ処理の状況を示す引継情報を取得する取得手段と、
取得した引継情報を記憶する記憶手段と、
第２の情報処理装置との近距離無線通信の確立に応じて、前記引継情報を当該第２の情報処理装置へ送信することで、前記第１の情報処理装置によるデータ処理を引き継がせる送信手段とを有することを特徴とする情報処理端末。
【請求項７】
前記受信手段により取得したデータは印刷を行う対象の印刷データであり、前記処理手段は前記引継情報の内容に基づいて未印刷と判断できる印刷データを印刷することを特徴とする請求項２に記載の情報処理装置。
【請求項８】
前記受信手段は、前記引継情報の内容に基づいて未印刷と判断できる印刷データを受信の対象とすることを特徴とする請求項２又は７に記載の情報処理装置。
【請求項９】
前記データは印刷データであり、前記位置情報は当該印刷データの保存先を示し、前記進行情報は前記印刷データの印刷処理の状況を示し、前記設定情報は前記印刷処理の設定であり、前記生成手段は印刷の中断の要求に応じて前記引継情報を生成することを特徴とする請求項１に記載の情報処理装置。
【請求項１０】
前記位置情報は再生処理の対象の動画データまたは音声データの保存先を示し、前記進行情報は前記再生処理の進行状況を示し、前記設定情報は動画再生の引継要求が発生した際の動画再生の設定であり、前記生成手段は前記引継要求に応じて前記引継情報を生成することを特徴とする請求項１に記載の情報処理装置。
【請求項１１】
前記進行情報は、動画または音声について冒頭からの経過時間であることを特徴とする請求項１０に記載の情報処理装置。
【請求項１２】
前記データは動画データまたは音声データであり、前記処理手段は前記引継情報の内容に基づいて、前記動画データまたは前記音声データを再生することを特徴とする請求項２に記載の情報処理装置。
【請求項１３】
処理中のデータの保存先を示す位置情報と、前記データに関する処理状況を示す進行情報と、前記データの処理に関わる設定を示す設定情報と、を含む引継情報を生成する生成工程と、
無線通信装置との近距離無線通信の確立に応じて、前記引継情報を前記無線通信装置に出力する出力工程とを有することを特徴とする情報処理装置の制御方法。
【請求項１４】
無線通信装置との近距離無線通信の確立に応じて、前記無線通信装置から引継情報を取得する取得工程と、前記取得工程により取得した引継情報に含まれる位置情報に基づいてデータを受信する受信工程と、前記引継情報の内容に基づいて前記受信工程により取得したデータを処理する処理工程とを有することを特徴とする情報処理装置の制御方法。
【請求項１５】
第１の情報処理装置との近距離無線通信の確立に応じて、第１の情報処理装置によるデータ処理の状況を示す引継情報を取得する取得工程と、
取得した引継情報を記憶手段に記憶する記憶工程と、
第２の情報処理装置との近距離無線通信の確立に応じて、前記引継情報を当該第２の情報処理装置へ送信することで、前記第１の情報処理装置によるデータ処理を引き継がせる送信工程とを有することを特徴とする情報処理端末の制御方法。
【発明の詳細な説明】
【技術分野】
【０００１】
本発明は、近距離無線通信により、情報の送受信を行う機能を備えた情報処理装置、情報処理端末およびその制御方法に関する。
【背景技術】
【０００２】
情報処理端末からＭＦＰ（Ｍｕｌｔｉ  Ｆｕｎｃｔｉｏｎ  Ｐｒｉｎｔｅｒ）に投入した印刷ジョブでエラーが発生すると、すぐに印刷を再開できない場合がある。そのような場合、ユーザはエラーの解決を待つか、情報処理端末から再び他のＭＦＰに印刷ジョブを投入する必要があり、手間がかかる。これを解決する手段として、エラーが発生した際に情報処理端末が代替印刷管理装置に問い合わせ、指定されたＭＦＰに印刷ジョブを再送するという技術が知られている（特許文献１）。また、情報処理装置では、ＭＦＰの優先順位をあらかじめ設定しておき、エラーが発生した際、次の優先順位を持つＭＦＰに印刷ジョブを再送するという技術がある（特許文献２）。
【先行技術文献】
【特許文献】
【０００３】
【特許文献１】特許第４２６５２６２号公報
【特許文献２】特開２０００―２５９３７７号公報
【発明の概要】
【発明が解決しようとする課題】
【０００４】
しかし、特許文献１に示される技術では、代替印刷管理装置が必要であることに加え、ユーザが代替として使用するＭＦＰを選択することができない。また、特許文献２に示される技術では、ＭＦＰの優先順位をあらかじめ設定しておく必要があり、ユーザにとって手間がかかる。以上のように、ユーザが直感的に情報処理装置の処理を引き継がせることが困難なことがある。
【課題を解決するための手段】
【０００５】
上記課題を解決するために、本発明に係る情報処理装置は、処理中のデータの保存先を示す位置情報と、前記データに関する処理状況を示す進行情報と、前記データの処理に関わる設定を示す設定情報と、を含む引継情報を生成する生成手段と、無線通信装置との近距離無線通信の確立に応じて、前記引継情報を前記無線通信装置に出力する出力手段とを有することを特徴とする。
【発明の効果】
【０００６】
ユーザが直感的に情報処理装置の処理を引き継がせることができる。
【図面の簡単な説明】
【０００７】
【図１】情報処理システムの概略形態を示す模式図である。
【図２】ＭＦＰの概略構成を示すブロック図である。
【図３】プログラムの概略機能を示すブロック図である。
【図４】非接触ＩＣカードの概略構成を示すブロック図である。
【図５】ＩＣチップの記憶内容を示すメモリマップである。
【図６】ＰＣの概略構成を示すブロック図である。
【図７】ＮＦＣのアクティビティの処理を示すフローチャート図である。
【図８】エラー発生時の概略処理を示すフローチャートである。
【図９】印刷引継時の概略処理を示すフローチャートである。
【図１０】引継情報選択画面の例を示す図である。
【図１１】情報処理システムの概略形態を示す模式図である。
【図１２】印刷サーバの概略処理を示すフローチャートである。
【図１３】情報処理システムの概略形態を示す模式図である。
【図１４】印刷委譲設定画面の例を示す図である。
【図１５】情報処理システムの概略形態を示す模式図である。
【図１６】携帯端末の概略構成を示すブロック図である。
【図１７】エラー発生時のＭＦＰの概略処理を示すフローチャートである。
【図１８】エラー発生時の携帯端末の概略処理を示すフローチャートである。
【図１９】印刷引継時の概略処理を示すフローチャートである。
【図２０】情報処理システムの概略形態を示す模式図である。
【図２１】印刷引継時の概略処理を示すフローチャートである。
【図２２】情報処理システムの概略形態を示す模式図である。
【図２３】動画再生引継設定時の概略処理を示すフローチャートである。
【図２４】動画再生引継実施時の概略処理を示すフローチャートである。
【発明を実施するための形態】
【０００８】
以下、図面を参照し、本発明の実施形態を詳細に説明する。
【０００９】
＜実施形態１＞
図１は、本発明の実施形態１に係る情報処理システムの概略図である。このシステムは、情報処理装置として引継元としてのＭＦＰ１０１、引継先としてのＭＦＰ１０２、記録媒体として非接触ＩＣカード１０３、情報処理端末としてパーソナル・コンピュータ（ＰＣ）１０４を備える。情報処理端末は、ＰＣ以外にもスマートフォンやタブレットなどの端末装置に置き換えることも可能である。また、ＭＦＰ１０１、１０２、ＰＣ１０４は、ネットワーク（Ｎ／Ｗ）１０５を通して通信接続が可能である。通信方法としては、有線／無線を問わない。さらに、ＭＦＰ１０１、１０２のそれぞれは、近距離無線通信１０６により、近距離にある非接触ＩＣカード１０３と通信が可能である。本実施形態では、近距離無線通信１０６としてＮＦＣ（Ｎｅａｒ  Ｆｉｅｌｄ  Ｃｏｍｍｕｎｉｃａｔｉｏｎ）を用いる例について述べる。ＮＦＣの通信範囲は、１０センチメートル未満とされる。従って、ユーザは、ＭＦＰ１０１の通信処理部３０１と非接触ＩＣカード１０３のアンテナ４０２とを１０センチメートル未満の距離に近接させることで、ＭＦＰ１０１と非接触ＩＣカード１０３との間で近距離無線通信１０６を確立させることができる。また、ユーザは、非接触ＩＣカード１０３のアンテナ４０２を通信処理部３０１の通信範囲より遠ざけることで、ＭＦＰ１０１と非接触ＩＣカード１０３との間での近距離無線通信１０６を切断させることができる。ＭＦＰ１０２と非接触ＩＣカード１０３との間の近距離無線通信の手段も同様である。
【００１０】
図２は、ＭＦＰ１０１の概略構成を示す図である。ＣＰＵ２０１は、ＭＦＰ１０１全体を制御する中央演算ユニットであり、ＭＦＰ１０１の処理シーケンスを統括的に制御する。後述するフローチャートを実現するためのプログラムや固定データはＲＯＭ２０２に格納され、データの一時保存やプログラムの読み込みにＲＡＭ２０３を使用する。プリント処理部２０４は、インクジェット方式やレーザー方式のプリンタデバイスを備え、プリンタデバイス制御と画像データの印刷処理（データ処理）を行う。スキャン処理部２０５は、スキャナデバイスを備え、その制御を行い、原稿の読み取り処理を行う。読み取った画像データは、プリント処理部２０４による印刷や、Ｎ／Ｗ通信部２０６を介した外部機器への送信に用いる。近距離通信部２０７は、ＮＦＣチップを備え、近距離無線通信１０６によって外部機器と通信接続を行い、データの送受信を制御する。操作部２０８は、ＭＦＰに対するボタン操作やタッチパネルによるユーザからの入力を受け付ける。表示部２０９は、ＬＣＤ（Ｌｉｑｕｉｄ  Ｃｒｙｓｔａｌ  Ｄｉｓｐｌａｙ）などの表示用ディスプレイを備え、ＭＦＰの処理内容に応じた画像やテキストデータの表示を行う。記録装置２１０は、印刷データを保存するための装置である。なお、ＭＦＰ１０２は、ＭＦＰ１０１と同様の構成を備えるものとする。
【００１１】
図３は、ＲＯＭ２０２に格納されているプログラムをＣＰＵ２０１で実行することによって実現される機能の概略である。通信処理部３０１は、ＩＰアドレスを操作し、Ｎ／Ｗ通信部２０６を介して他の機器と通信接続を実現する。通信方式としては、ＩＥＥＥ８０２．１１やＢｌｕｅｔｏｏｔｈ（登録商標）などの無線通信や、ＩＥＥＥ８０２．３などの有線通信が挙げられる。また、通信処理部３０１は、非接触ＩＣカード１０３から近距離通信部２０７を介してデータを送受信し、処理する。入力処理部３０２は、操作部２０８が受け付ける入力情報を処理する。表示処理部３０３は、表示部２０９への表示画像の出力処理を行う。デバイス制御部３０４は、プリント処理部２０４、スキャン処理部２０５、記録装置２１０を制御する。さらに、デバイス制御部３０４は、印刷が終了したページ番号や、印刷処理中のページ番号など、印刷データの処理状況を取得して保持する。引継情報生成部３０５は、引継元としてのＭＦＰ１０１から引継先としてのＭＦＰ１０２に処理を引き継ぐ際に必要な情報である引継情報を生成する処理を行う。
【００１２】
図４は、非接触ＩＣカード１０３のハードウェア構成の概略図である。電源生成回路４０１は、アンテナ４０２を介し、近距離通信部２０７が発生させる微弱電波から電磁誘導によって電力を取得する。そして、取得した電力が規定値を上回った時点で、ＩＣチップ４０３を起動させる。ＩＣチップ４０３は、アンテナ４０２を介し、ＭＦＰ１０１からメッセージを受信し、処理する。また、ＩＣチップ４０３の負荷を切り替えることにより、アンテナ４０２を介し、ＭＦＰ１０２へデータを送信する。また、ＩＣチップ４０３は、不揮発性記憶領域を備え、受信したメッセージに応じて不揮発性記憶領域へのデータの書き込みや読み込みといった処理を行う。
【００１３】
図５は、ＩＣチップ４０３が備える不揮発性記憶領域のメモリマップである。ＩＣチップ４０３が備える不揮発性記憶領域は、個体識別ＩＤ５０１、及び使用可能領域５０２を備える。個体識別ＩＤ５０１は、カードの各個体を識別するためのＩＤである。個体識別ＩＤ５０１は、工場出荷時にカードごとに重複しない値が割り当てられており、ユーザが書き変えることは出来ない。使用可能領域５０２は、他の無線通信機能を備えた情報処理装置からのメッセージに応じてデータを書き込むことができる不揮発性記憶領域である。使用可能領域５０２は、引継情報数５０３と引継情報５０４を備える。引継情報数５０３は、使用可能領域５０２に保存された引継情報の数を記録するための領域である。引継情報５０４は、引継情報数５０３が示す数だけ存在し、各引継情報は、データ情報５０５、位置情報５０６、進行情報５０７、設定情報５０８を含む。本実施形態におけるデータ情報５０５は、印刷データの名称やページ数、投入時刻などの印刷データ情報である。位置情報５０６は、印刷データの保存先を示す外部装置のＩＰアドレス、ＭＡＣアドレスなどの情報である。進行情報５０７は、印刷処理中のデータの処理状況を表す情報である。具体的には、印刷エラーが発生した時点での最終出力ページ番号（単に、印刷を完了したページを列挙してもよい）や、エラーが発生したページ、または、引継先の情報処理装置が処理すべきページ番号の集合である。設定情報５０８は、印刷設定に関する情報であり、具体的には、カラー／モノクロの設定や使用する用紙サイズなど、エラー発生時に適用されていた設定情報が含まれている。
【００１４】
図６は、ＰＣ１０４の概略構成を示す図である。ＣＰＵ６０１は、ＰＣ１０４全体を制御する中央演算ユニットである。印刷データを生成するための印刷データ生成プログラムや固定データはＲＯＭ６０２に格納し、データの一時保存やプログラムの読み込みにＲＡＭ６０３を使用する。印刷データ生成プログラムは、例えば、プリンタドライバのように、文書ファイルを印刷データに変換する機能を備えるプログラムである。Ｎ／Ｗ通信部６０４は、ＰＣ１０４が有線／無線通信を介し、他の通信装置と通信することを可能にする。また、ＣＰＵ６０１は、操作部６０５が受け付ける入力情報の処理や、表示部６０６への表示画像の出力処理を行う。記録装置６０７は、文書ファイルや画像ファイルなどのファイルを保存するための装置である。ＣＰＵ６０１は、ＲＯＭ６０２に格納された印刷データ生成プログラムを実行することにより、記録装置６０７に格納されたファイルを印刷データに変換する。
【００１５】
図７は、近距離無線通信１０６に用いるＮＦＣのアクティビティの処理フロー図である。ＮＦＣの通信処理では、ＮＦＣデバイスはアクティビティと呼ばれる一連の処理を行うことにより、通信相手の検知、通信確立、データの送受信を実現する。ＮＦＣデバイスは、ＮＦＣチップを備えた装置である。各アクティビティでは、複数のＮＦＣデバイスが相互にコマンドを送受することにより、通信の確立、データ交換、終了処理を行う。次に、アクティビティの遷移について説明する。テクノロジ検出アクティビティ（ステップＳ７０１）では、通信範囲内に他のＮＦＣデバイスが存在しているかを検知し、ＮＦＣデバイスが見つかった場合は、その対向デバイスのＮＦＣ種別をコマンドの送受信により判定する。衝突解決アクティビティ（ステップＳ７０２）では、複数のＮＦＣデバイスが検出された場合の識別を行う。デバイス活性化アクティビティ（ステップＳ７０３）では、検出された対向デバイスがＰ２Ｐ（Ｐｅｅｒ  ｔｏ  Ｐｅｅｒ）モードやＣＥ（Ｃａｒｄ  Ｅｍｕｌａｔｏｒ）モードなどのいずれのモードに対応しているかを判断する。あるいは、ＮＦＣカードが対応しているタイプを判別する。ＮＦＣカードは、ＮＦＣタグリーダ／ライタによって読み書き可能なＩＣカードである。Ｐ２Ｐモードは、通信を行う両ＮＦＣデバイスがＰ２Ｐモードで動作することで、双方向に任意のデータの送受を可能とするモードである。ＮＦＣデバイスはＰ２Ｐモードの他に、ＮＦＣカードのように振る舞い、ＮＦＣカードリーダ／ライタからのアクセスを可能とするＣＥモードと、ＮＦＣカードの読み書きを行うＲ／Ｗ（リーダ／ライタ）モードに遷移可能である。本実施形態では、通信処理部３０１は、Ｒ／Ｗモードで動作し、近距離通信部２０７とアンテナ４０２間の通信を制御する。データ交換アクティビティ（ステップＳ７０４）では、検出された対向デバイスとデータの送受信を行う。このアクティビティより、対向デバイスに対して任意のデータの送受信が可能である。デバイス非活性化アクティビティ（ステップＳ７０５）では、通信の終了処理を行う。ステップＳ７０１からステップＳ７０５までの一連の処理により、能動的にコマンドを送信する通信モードは、ＰｏｌｌモードとしてＮＦＣ規格にて規定されている。本実施形態では、ＭＦＰ１０１、１０２がＰｏｌｌモードで接続するケースについて述べる。上述の一連のアクティビティ処理により、ＭＦＰ１０１、１０２の近距離通信部２０７が備えるＮＦＣチップと非接触ＩＣカード１０３のアンテナ４０２の近接に応じて、ＮＦＣ通信接続確立とデータの送受信を行う。その他、ペアリング／認証だけをＮＦＣで行い、ＩＥＥＥ８０２．１１やＢｌｕｅｔｏｏｔｈ（登録商標）など高速な規格に通信を引き継ぐハンドオーバ技術が知られている。
【００１６】
本実施形態では、ＭＦＰ１０１、１０２、非接触ＩＣカード１０３において、近距離無線通信に応じてプリント機能による印刷処理を引き継ぐ例について、印刷エラー発生時、印刷引継時に分けて説明する。
【００１７】
まず、印刷エラー発生時におけるＭＦＰ１０１の処理フローを図８に示す。ステップＳ８０１では、ＭＦＰ１０１が備える通信処理部３０１は、Ｎ／Ｗ通信部２０６を介してＰＣ１０４から印刷データを受信する。この印刷データには、印刷データを特定することが可能な識別子などの印刷データ情報と画像データが含まれている。ステップＳ８０２では、デバイス制御部３０４は、受信した印刷データを記録装置２１０に保存する。ステップＳ８０３では、デバイス制御部３０４は、プリント処理部２０４を制御することにより、ステップＳ８０２にて保存した印刷データを用いて印刷を開始する。ステップＳ８０４では、デバイス制御部３０４は、印刷エラーが発生したことを検知した場合、ステップＳ８０５に進む。ステップＳ８０５では、表示処理部３０３は、表示部２０９にエラーが発生した旨を表示し、非接触ＩＣカードの接触をユーザに促す。ステップＳ８０６では、通信処理部３０１は、非接触ＩＣカード１０３と近距離通信部２０７の近接を検知する。この処理は、ステップＳ７０１〜Ｓ７０３のアクティビティに該当する。ステップＳ８０７では、通信処理部３０１は、ＩＣカードから引継情報数を読み込み、ＲＡＭ２０３に記録する。その後、引継情報生成部３０５は、引継情報を生成してＲＡＭ２０３に記録した後、ＲＡＭ２０３に記録されている引継情報数を１つ加算する。引継情報の生成時、引継情報生成部３０５は、引継情報に含む位置情報としてＭＦＰ１０１の通信処理部３０１が備えるＩＰアドレスを記録する。また、引継情報に含む進行情報としてデバイス制御部３０４が保持するエラーが発生したページ番号、もしくは印刷した最終ページ番号を記録する。その後、通信処理部３０１は、近距離通信部２０７を介し、非接触ＩＣカード１０３に対してＲ／Ｗモードで動作し、ＲＡＭ２０３に記録された引継情報数、引継情報をＩＣチップ４０３の使用可能領域５０２に書き込む。引継情報の書き込みが完了した際、通信処理部３０１は、Ｎ／Ｗ通信部２０６を介してＰＣ１０４にジョブが引き継がれたことを通知する。ステップＳ８０７におけるＭＦＰ１０１と非接触ＩＣカード１０３間の処理は、ステップＳ７０４のデータ交換アクティビティに該当する。ステップＳ８０４では、印刷エラーを検知しない場合、ステップＳ８０８に進む。ステップＳ８０８では、デバイス制御部３０４は、印刷を終了する。その後、ステップＳ８０９では、デバイス制御部３０４は、ステップＳ８０２にて記録装置２１０に保存された印刷データを削除する。
【００１８】
続いて、印刷引継時におけるＭＦＰ１０１、１０２の処理フローを図９に示す。ステップＳ９０１では、ＭＦＰ１０２が備える通信処理部３０１は、非接触ＩＣカード１０３と近距離通信部２０７の近接を検知する。ステップＳ９０２では、通信処理部３０１は、近距離通信部２０７を介し、非接触ＩＣカード１０３に対してＲ／Ｗモードで動作する。この動作により、通信処理部３０１は、ＩＣチップ４０３の使用可能領域５０２に記録された引継情報数、引継情報を読み込み、ＲＡＭ２０３に記録する。非接触ＩＣカード１０３内に引継情報が存在しない場合は、ステップＳ９０３に進まず、処理を終了する。この際、表示処理部３０３は、表示部２０９に引継情報が存在しない旨を示すエラーを表示してもよい。ステップＳ９０３では、表示処理部３０３は、表示部２０９に引継情報の詳細を表示する。ステップＳ９０４では、入力処理部３０２は、操作部２０８を介してユーザ操作情報を受け取り、印刷を引き継ぐ対象の引継情報を決定する。非接触ＩＣカード１０３に引継情報が１つしか記録されていない場合などは、ユーザからの操作を受け付けることなく、引継情報を一意に決定してもよい。また、引継情報を決定した際、通信処理部３０１は、近距離通信部２０７を介し、決定した引継情報を非接触ＩＣカード１０３から削除する。この際、通信処理部３０１は、ステップＳ９０２にてＲＡＭ２０３に記録した引継情報数を１つ減算する。その後、通信処理部３０１は、近距離通信部２０７を介し、ＲＡＭ２０３に記録された引継情報数をＩＣチップ４０３の使用可能領域５０２に書き込む。ステップＳ９０５では、通信処理部３０１は、ステップＳ９０４にて決定した引継情報に含まれる印刷データ情報、位置情報を参照する。その後、通信処理部３０１は、位置情報が示す対象（本実施形態では、ＭＦＰ１０１）に対し、Ｎ／Ｗ通信部２０６を介して印刷データ情報を含む印刷データ要求を送信する。ステップＳ９０６では、ＭＦＰ１０１が備える通信処理部３０１は、Ｎ／Ｗ通信部２０６を介して印刷データ要求を受け取り、内容をＲＡＭ２０３に記録する。ステップＳ９０７では、デバイス制御部３０４は、ＭＦＰ１０２から受け取った印刷データ情報と記録装置２１０に保存された印刷データに含まれる印刷データ情報を比較する。この比較により、デバイス制御部３０４は、記録装置２１０に保存された印刷データの中から該当する印刷データを特定する。その後、通信処理部３０１は、印刷データの要求元であるＭＦＰ１０２に対し、Ｎ／Ｗ通信部２０６を介して印刷データを送信する。ステップＳ９０８では、通信処理部３０１は、Ｎ／Ｗ通信部２０６を介してＭＦＰ１０１から印刷データを受信する。ステップＳ９０９では、デバイス制御部３０４は、ステップＳ８０２にて記録装置２１０に保存した印刷データを削除する。ステップＳ９１０では、ステップＳ９０８にて受信した印刷データを記録装置２１０に保存する。ステップＳ９１１では、デバイス制御部３０４は、プリント処理部２０４を介し、ステップＳ９０４にて決定した引継情報に含まれる進行情報を参照することにより、既に印刷されているページの印刷データを読み捨て、未印刷と判断できるページのみを印刷する。この際、デバイス制御部３０４は、決定した引継情報に含まれる設定情報を参照し、設定情報に沿って印刷を行う。
【００１９】
図１０は、ステップＳ９０３にて表示される表示画面の例である。この図では、３つの引継情報が記載されている。画面に表示される引継情報の数は、ＩＣチップ４０３の使用可能領域５０２に記録された引継情報数によって決定される。各引継情報は、ドキュメント名、保存先、印刷設定、印刷済ページという４つの項目として表示されている。ドキュメント名は、引継情報に含まれる印刷データ情報に該当し、印刷データの名称を示している。保存先は、引継情報に含まれる位置情報に該当し、印刷データが保存されている装置のＩＰアドレスを示している。印刷設定は、引継情報に含まれる印刷設定情報に該当し、２ｉｎ１、片面／両面印刷など印刷設定情報を示している。印刷済ページは、引継情報に含まれる進行情報に該当し、既に印刷を終了したページ番号を示している。図中の矢印は、ユーザが選択しようとしている引継情報を表す記号である。
【００２０】
ＭＦＰ１０１、１０２が非接触ＩＣカードを検知した場合、ステップＳ８０６〜Ｓ８０７、ステップＳ９０２のように、非接触ＩＣカード１０３に対する引継情報の書き込み、もしくは、引継情報の読み込みを行う。非接触ＩＣカード１０３に対する書き込み／読み込みの判断は、ＭＦＰ１０１、１０２の処理状況に基づいて行う。ＭＦＰ１０１、１０２の印刷中にエラーが発生し、印刷を停止している状況にて通信処理部３０１が非接触ＩＣカードを検知した場合、ステップＳ８０６〜Ｓ８０７の処理を行う。それ以外の状況にて通信処理部３０１が非接触ＩＣカードを検知した場合、ステップＳ９０２の処理を行う。
【００２１】
ステップＳ９０３では、決定した引継情報にＭＦＰ１０２が対応していない設定情報が含まれていた場合、ＭＦＰ１０２は、それらの情報を無視し、ＭＦＰ１０２が実現できる範囲で印刷を行う。例えば、ＭＦＰ１０２がモノクロ印刷機能のみを備えており、カラー設定の印刷を引き継ぐ場合、デバイス制御部３０４は、カラー印刷の代わりにモノクロ印刷を実行する。もしくは、表示部２０９にエラーを表示し、印刷を行わなくてもよい。もしくは、表示部２０９にエラーを表示し、操作部２０８によって印刷するか否かをユーザに促してもよい。
【００２２】
前述のフローの印刷データ受信処理（ステップＳ９０５〜Ｓ９０８）では、ＭＦＰ１０２は、ＭＦＰ１０１から全ての印刷データを受け取り、不要な印刷データを読み捨てる例を示したが、別の方法も考えられる。例えば、ＭＦＰ１０２は、必要な印刷データのみを受信してもよい。その場合、ステップＳ９０５では、通信処理部３０１は、印刷データ情報、進行情報を含む印刷データ要求をＭＦＰ１０１に送信する。そして、ステップＳ９０７では、デバイス制御部３０４は、印刷データ情報を参照することにより、記録装置２１０に保存された印刷データの中から印刷データを特定する。その後、デバイス制御部３０４は、進行情報を参照することにより、特定した印刷データの中から未印刷のページの印刷データを特定する。その後、通信処理部３０１は、特定した印刷データをＭＦＰ１０２に送信する。
【００２３】
さらに、前述のフローでは、ステップＳ９０９にて印刷データの保存、ステップＳ９１０にて印刷データの削除を行っているが、別の方法も考えられる。例えば、ステップＳ９０９では、記録装置２１０に印刷データを保存せず、ステップＳ９１０では、記録装置２１０に保存された印刷データを削除しない。そして、ＭＦＰ１０２における印刷が正常終了した際、通信処理部３０１がＮ／Ｗ通信部２０６を介してＭＦＰ１０１に印刷データの削除を依頼する方法がある。
【００２４】
なお、図１１に示すように、印刷サーバ１０７を設けてもよい。印刷サーバ１０７は、図６に示す構成と同様の構成を備えるものとするが、操作部６０５や表示部６０６は必ずしも必要ない。図１２は、図１１のように構成した場合の印刷データ投入時の印刷サーバ１０７の処理フローである。ステップＳ１２０１では、印刷サーバ１０７のＣＰＵ６０１は、ＰＣ１０４から印刷データを受信する。この印刷データには、印刷データを特定することが可能な識別子と、印刷を実行させるＭＦＰのＩＰアドレスを含む印刷データ情報と画像データが含まれている。ステップＳ１２０２では、ＣＰＵ６０１は、受信した印刷データを記録装置６０７に保存する。ステップＳ１２０３では、ＣＰＵ６０１は、ステップＳ１２０１で受信した印刷データに含まれるＩＰアドレスに対して印刷データを送信する。印刷エラー発生時におけるＭＦＰ１０１の処理フローは、図８とほぼ同様である。ただし、ステップＳ８０２では、印刷データが印刷サーバ１０７の記録装置６０７に保存されていることを印刷サーバ１０７のＩＰアドレスなどの位置情報として記録するだけでよい。さらに、ステップ８０９では、ＭＦＰ１０２は、印刷サーバ１０７に対して印刷を終了した印刷データの削除を依頼する。印刷引継時の処理は図９とほぼ同様であるが、図１１の構成では、印刷サーバ１０７は、図９のＭＦＰ１０１のように挙動する。
【００２５】
また、図１３に示すように、印刷を引き継ぐ際、印刷データをＰＣ１０４から再送するようにしてもよい。この場合、印刷エラー発生時におけるＭＦＰ１０１の処理フローは、図８とほぼ同様である。ただし、ステップＳ８０２では、ＰＣ１０４のＩＰアドレスなどを位置情報として記録するだけでよい。印刷引継時の処理は図９とほぼ同様であるが、図１３の構成では、ＰＣ１０４は、図９のＭＦＰ１０１のように挙動する。また、ステップＳ９０５では、ＰＣ１０４は、ＭＦＰ１０２から印刷データ情報を含む印刷データ要求を受信する。その後、ＰＣ１０４は、印刷データ情報に含まれるファイル名などを識別子として、記録装置６０７に保存されたファイルの中から印刷データの生成に使用するファイルを特定する。そして、ＣＰＵ６０１は、ＲＯＭ６０２に格納された印刷データ生成プログラムを実行することにより、特定したファイルを印刷データに変換して再送する。その他の処理は図８、図９と同様である。
【００２６】
また、上述の説明では、印刷データの印刷処理の引き継ぎについて説明したが、図１のように構成してコピー処理を引き継がせるようにしてもよい。コピー処理の場合、ＰＣ１０４とＮ／Ｗ１０５は必ずしも必要ない。ただし、コピー処理の引継処理をさせる場合、複写対象の原稿をＭＦＰ１０１に設置することが好ましい。以下、コピー処理の引き継ぎに関して、図８、図９との差異を説明する。ステップＳ８０１では、デバイス制御部３０４は、スキャン処理部２０５を介してスキャンを実行することにより、設置された原稿を元に画像データを生成する。その後、デバイス制御部３０４は、印刷投入時刻などを印刷データの識別子とする印刷データ情報を生成し、生成した画像データに対してこの印刷データ情報を付与することで、印刷データを生成する。その他の処理は図８、図９と同様である。
【００２７】
なお、上述の説明では、印刷エラーの発生をトリガとして処理を引き継がせる例を説明したが、別の例も考えられる。例えば、ユーザによる非接触ＩＣカード１０３のタッチをトリガとしてＭＦＰ１０１の印刷処理を中断する。その後、ＭＦＰ１０１の進行情報、設定情報を非接触ＩＣカード１０３に書き込ませて、処理を引き継がせるようにしてもよい。このトリガは、操作部２０８に対するユーザ操作でもよい。このように構成することで、ＭＦＰ１０１の処理を中断することもできる。タッチによって印刷を中断する際、デバイス制御部３０４は、印刷設定を意識して中断を実行する。例えば、印刷設定が２ｉｎ１である場合は、奇数ページ・偶数ページの印刷データを処理し、１枚の紙が出力された時点で印刷を中断する。ＭＦＰ１０１から非接触ＩＣカード１０３に記憶させた進行情報、設定情報を、非接触ＩＣカード１０３のタッチでＭＦＰ１０１に戻すことにより、同じ装置で印刷を再開させることもできる。
【００２８】
さらに、上述の説明では、印刷を中断・再開させる例を説明したが、ＭＦＰ１０１の印刷処理をＭＦＰ１０２に委譲してもよい。印刷の委譲とは、例えば、ＭＦＰ１０１がある印刷データを受信した場合、その印刷データの一部、または全てをＭＦＰ１０２に転送する。そして、転送した印刷データに関してはＭＦＰ１０１では印刷せず、ＭＦＰ１０２に印刷を任せることである。プリント機能による印刷処理を委譲する例について、印刷委譲設定時、印刷委譲実施時に分けて説明する。印刷委譲設定時の処理フローは、図８とほぼ同様である。ただし、Ｓ８０４では、非接触ＩＣカード１０３のタッチや操作部２０８の操作をトリガとして印刷処理を中断する。その後、Ｓ８０５では、ＭＦＰ１０１の表示処理部３０３は、表示部２０９に印刷委譲の設定のための印刷委譲設定画面を表示し、ユーザに設定入力を促す。印刷委譲設定画面では、ユーザは、他のＭＦＰに印刷を委譲するページ番号を入力することができる。その後、入力処理部３０２は、操作部２０８を介し、他のＭＦＰに印刷を委譲するページ番号集合を受信し、その内容をＲＡＭ２０３に記録する。ページ番号集合とは、他のＭＦＰに印刷を委譲する全てのページ番号の集まりを意味する。例えば、５〜８ページの印刷を他のＭＦＰに委譲する際、ページ番号集合としては、５、６、７、８という値が記録される。その後、デバイス制御部３０４は、ＲＡＭ２０３に記録されたページ番号集合を印刷データと紐づけて記録装置２１０に保存する。また、Ｓ８０７では、引継情報の進行情報としてユーザが指定したページ番号集合を含む。引継処理を完了後、ＭＦＰ１０１のデバイス制御部３０４は、印刷を再開し、記録装置２１０に保存されたページ番号集合を参照することにより、印刷を委譲していないページのみを印刷する。この際、デバイス制御部３０４は、印刷を終了したページ番号を印刷データと紐づけて記録装置２１０に保存する。印刷委譲実施時の処理フローは、図９とほぼ同様である。ただし、ステップＳ９１１では、ＭＦＰ１０２のデバイス制御部３０４は、プリント処理部２０４を介し、引継情報の進行情報として含まれるページ番号集合を参照することにより、ページ番号集合に含まれているページのみを印刷する。そして、印刷を終了すると、ＭＦＰ１０１に対して、印刷を終了したページ番号を含む印刷終了通知を送信する。ＭＦＰ１０１が備える通信処理部３０１は、ＭＦＰ１０２から印刷終了通知を受け、デバイス制御部３０４は、印刷終了通知に含まれるページ番号を印刷データと紐づけて記録装置２１０に保存する。全てのページが印刷されたことを確認した場合のみ、デバイス制御部３０４は、記録装置２１０に保存した印刷データを削除する。図１４は、印刷委譲設定画面の例である。この図では、印刷進行中の印刷データに関するドキュメント名、保存先、印刷設定、印刷済ページという４つの項目が表示されている。ドキュメント名は、印刷データの名称を示している。保存先は、印刷データが保存されている装置のＩＰアドレスを示している。印刷設定は、２ｉｎ１、片面／両面印刷など印刷設定情報を示している。印刷済ページは、既に印刷を終了したページ番号を示している。開始ページは、印刷委譲先のＭＦＰで印刷する最初のページ番号を示しており、終了ページは、印刷委譲先のＭＦＰで印刷する最後のページ番号を示している。従って、この図の設定は、他のＭＦＰに対してページ番号５〜１２の印刷を委譲することを意味している。ユーザは、操作部２０８を介し、開始ページ、終了ページのページ番号を入力することができる。この図は、連続するページ番号を入力する画面の例を示しているが、任意のページ番号を入力できる画面を表示してもよい。その場合、ユーザは、操作部２０８を介し、「５〜９、１１、１３」など、任意のページ番号を指定して印刷委譲設定を行うことができる。本実施形態では、１台のＭＦＰ（ＭＦＰ１０２）に印刷を委譲する例を示したが、２台以上のＭＦＰに印刷を委譲してもよい。
【００２９】
以上、本実施形態によれば、ユーザは、引継元のＭＦＰ１０１と引継先のＭＦＰ１０２に対して非接触ＩＣカード１０３を順にタッチして通信を確立させることにより、直感的にＭＦＰ１０１の処理をＭＦＰ１０２に引き継がせることができる。
【００３０】
＜実施形態２＞
本実施形態では、引継元としてのＭＦＰ１０１、引継先としてのＭＦＰ１０２、携帯端末１０８において、ＭＦＰ間で印刷データを受け渡すことにより、プリント機能による印刷処理を引き継ぐ例について、印刷エラー発生時、印刷引継時に分けて説明する。実施形態１との違いは、非接触ＩＣカード１０３の代わりに携帯端末１０８を用いることである。
図１５は、本発明の実施形態２に係る情報処理システムの概略を示す図である。情報処理装置としてＭＦＰ１０１、１０２、情報処理端末としてＰＣ１０４、記録媒体として携帯端末１０８を備える。また、ＭＦＰ１０１、１０２、ＰＣ１０４、携帯端末１０８は、Ｎ／Ｗ１０５を通して通信接続が可能である。通信方法としては、有線／無線を問わない。さらに、ＭＦＰ１０１、１０２は、携帯端末１０８と近距離無線通信１０６による通信接続が可能である。
【００３１】
図１６は、携帯端末１０８の概略構成を示す図である。ＣＰＵ１６０１は、携帯端末１０８全体を制御する中央演算ユニットであり、携帯端末１０８の処理シーケンスを統括的に制御する。印刷データ生成のための印刷データ生成プログラムや固定データはＲＯＭ１６０２に格納され、データの一時保存やプログラムの読み込みにＲＡＭ１６０３を使用する。印刷データ生成プログラムは、例えば、プリンタドライバのように、文書ファイルを印刷データに変換する機能を備えるプログラムである。操作部１６０４は、ボタン操作やタッチパネルによるユーザからの入力を受け付ける。表示部１６０５は、ＬＣＤなどの表示用ディスプレイを備え、画像やテキストデータの表示を行う。Ｎ／Ｗ通信部１６０６は、外部機器との通信を可能にする。近距離通信部１６０７は、ＮＦＣチップを備え、近距離無線通信１０６によって外部機器と通信接続を行い、データの送受信を制御する。記録装置１６０８は、印刷データの生成に用いる文書ファイルや画像ファイルなどのファイルや、引継情報を保存するための装置である。
【００３２】
図１７は、印刷エラー発生時のＭＦＰ１０１の処理フローである。ステップＳ１７０１では、ＭＦＰ１０１が備える通信処理部３０１は、近距離通信部２０７を介して携帯端末１０８の近接を検知する。ステップＳ１７０２では、通信処理部３０１は、近距離通信部２０７を介し、携帯端末１０８との近距離無線通信接続を確立した後、ハンドオーバによって通信方法をＩＥＥＥ８０２．１１へと切り替え、接続を確立する。ステップＳ１７０３では、通信処理部３０１は、Ｎ／Ｗ通信部２０６を介して印刷データを受信する。ステップＳ１７０４では、デバイス制御部３０４は、ステップＳ１７０３にて受信した印刷データを記録装置２１０に保存する。ステップＳ１７０５では、デバイス制御部３０４は、プリント処理部２０４を制御することにより、印刷を開始する。ステップＳ１７０６では、デバイス制御部３０４は、何らかの印刷エラーが発生したことを検知した場合、ステップＳ１７０７に進む。ステップＳ１７０７では、通信処理部３０１は、Ｎ／Ｗ通信部２０６を介して携帯端末１０８にエラーが発生した旨を通知する。ステップＳ１７０８では、通信処理部３０１が携帯端末１０８から引継情報の要求を一定時間内に受信した場合、ステップＳ１７０９に進む。ステップＳ１７０９では、引継情報生成部３０５は、引継情報を生成し、その内容をＲＡＭ２０３に記録する。引継情報の生成時、引継情報生成部３０５は、引継情報に含む位置情報として通信処理部３０１が備えるＩＰアドレスを記録する。また、引継情報に含む進行情報としてデバイス制御部３０４が保持する最終出力ページ番号（出力を完了した最終ページ）やエラーが発生したページ番号を記録する。その後、通信処理部３０１は、Ｎ／Ｗ通信部２０６を介し、携帯端末１０８に引継情報を送信する。ステップＳ１７０６では、印刷エラーを検知しない場合、ステップＳ１７１０に進む。ステップＳ１７１０では、デバイス制御部３０４は、プリント処理部２０４を制御することで印刷を終了する、その後、ステップＳ１７１１では、デバイス制御部３０４は、ステップＳ１７０４にて記録装置２１０に保存した印刷データを削除する。
【００３３】
図１８は、印刷エラー発生時の携帯端末１０８の処理フローである。ステップＳ１８０１では、携帯端末１０８が備えるＣＰＵ１６０１は、ＭＦＰ１０１の近接を検知する。ステップＳ１８０２では、ＣＰＵ１６０１は、Ｎ／Ｗ通信部１６０６を介し、ＭＦＰ１０１との近距離無線通信接続を確立した後、ハンドオーバによって通信方法をＩＥＥＥ８０２．１１へと切り替え、接続を確立する。ステップＳ１８０３では、ＣＰＵ１６０１は、操作部１６０４を介し、記録装置１６０８内に保存された文書ファイルなどのファイルのうち、ユーザが印刷を希望するファイルを特定するためのユーザ操作情報を受け取る。その後、ＣＰＵ１６０１は、ユーザ操作情報に従って特定したファイルに対し、ＲＯＭ１６０２に格納された印刷データ生成プログラムを実行することにより、特定したファイルを印刷データに変換する。その後、ＣＰＵ１６０１は、Ｎ／Ｗ通信部１６０６を介し、ＭＦＰ１０１に印刷データを送信する。ステップＳ１８０３にて全印刷データの送信を終了後、ステップＳ１８０４では、ＣＰＵ１６０１は、一定時間印刷エラーの通知を監視する。この一定時間内に、ＣＰＵ１６０１がＮ／Ｗ通信部１６０６を介し、ＭＦＰ１０１から印刷エラー通知を受信した場合、ステップＳ１８０５に進む。ステップＳ１８０５では、ＣＰＵ１６０１は、表示部１６０５に印刷エラーを表示する。ステップＳ１８０６では、ＣＰＵ１６０１は、Ｎ／Ｗ通信部１６０６を介し、ＭＦＰ１０１に引継情報の要求を送信する。ここでは、代替手段として、ＣＰＵ１６０１は、操作部１６０４を介してユーザ操作情報を受け取り、ユーザ操作情報に従って引継情報の要求を送信するか決定してもよい。ステップＳ１８０７では、ＣＰＵ１６０１は、Ｎ／Ｗ通信部１６０６を介してＭＦＰ１０１から引継情報を受信する。ステップＳ１８０８では、ＣＰＵ１６０１は、ステップＳ１８０７にて受信した引継情報を記録装置１６０８に保存し、記録装置１６０８に保存された引継情報数を１つ加算する。
【００３４】
ステップＳ１８０４では、ＣＰＵ１６０１は、Ｎ／Ｗ通信部１６０６を介し、ＭＦＰ１０１からページごとに印刷の終了ステータス（正常終了、エラーなど）を受け取る方法も考えられる。この場合、ＣＰＵ１６０１は、最終ページの終了ステータスが正常終了であれば処理を終了し、それまでにエラー通知を受信した場合は、ステップＳ１８０５に進む。
【００３５】
最後に、印刷引継時におけるＭＦＰ１０１、１０２、携帯端末１０８の処理フローを図１９に示す。ステップＳ１９０１では、携帯端末１０８が備えるＣＰＵ１６０１は、ＭＦＰ１０２の近接を検知する。ステップＳ１９０２では、ＭＦＰ１０２が備える通信処理部３０１は、近距離通信部２０７を介して携帯端末１０８の近接を検知する。ステップＳ１９０３、ステップＳ１９０４では、携帯端末１０８、ＭＦＰ１０２はそれぞれＮ／Ｗ通信部１６０６、２０６を介し、互いに近距離無線通信接続を確立する。その後、ハンドオーバにより、携帯端末１０８とＭＦＰ１０２の間の接続を近距離無線通信からＩＥＥＥ８０２．１１へと切り替え、互いに接続を確立する。ステップＳ１９０５では、ＣＰＵ１６０１は、表示部１６０５に記録装置１６０８に保存された引継情報の詳細を表示する。記録装置１６０８に引継情報が存在しない場合は、ステップＳ１９０６に進まず、処理を終了する。この際、ＣＰＵ１６０１は、表示部１６０５に引継情報が存在しない旨を示すエラーを表示してもよい。ステップＳ１９０６では、ＣＰＵ１６０１は、操作部１６０４を介してユーザ操作情報を受け取り、印刷を引き継ぐ対象の引継情報を決定する。記録装置１６０８に引継情報が１つしか記録されていない場合などは、ユーザからの操作を受け付けることなく一意に決定してもよい。また、引継情報を決定した際、ＣＰＵ１６０１は、決定した引継情報を記録装置１６０８から削除し、記録装置１６０８に保存された引継情報数を１つ減算する。ステップＳ１９０７では、ＣＰＵ１６０１は、Ｎ／Ｗ通信部２０６を介し、ステップＳ１９０６で決定した引継情報をＭＦＰ１０２に送信する。ステップＳ１９０８では、通信処理部３０１は、Ｎ／Ｗ通信部２０６を介して携帯端末１０８より引継情報を受信し、ＲＡＭ２０３に記録する。ステップＳ１９０９〜Ｓ１９１５の処理は、図９におけるステップＳ９０５〜Ｓ９１１の処理と同様であるため、説明を省略する。
なお、図２０のように、ＰＣ１０４の代わりに携帯端末１０８から印刷データを投入し、印刷を引き継ぐ際、印刷データを携帯端末１０８から再送するようにしてもよい。図２０のように構成した場合の印刷エラー発生時のＭＦＰ１０１の処理フローは、図１７と同様である。ただし、記録装置に対する保存（ステップＳ１７０４）、削除（ステップＳ１７１１）を行う必要はない。また、印刷エラー発生時の携帯端末１０８の処理フローは、図１８と同様である。図２１は、印刷引継時におけるＭＦＰ１０２、携帯端末１０８の処理フローである。ステップＳ２１０１〜Ｓ２１０６の処理は、図１９におけるステップＳ１９０１〜Ｓ１９０６の処理と同様である。ステップＳ２１０７では、携帯端末１０８が備えるＣＰＵ１６０１は、ステップＳ２１０６にて決定した引継情報の印刷データ情報に含まれるファイル名などを識別子として参照する。そして、ＣＰＵ１６０１は、参照する識別子に基づき、記録装置１６０８に保存されたファイルの中から印刷データの生成に使用するファイルを特定する。その後、ＣＰＵ１６０１は、ＲＯＭ１６０２に格納された印刷データ生成プログラムを実行することにより、特定したファイルを印刷データに変換する。そして、ＣＰＵ１６０１は、Ｎ／Ｗ通信部１６０６を介してＭＦＰ１０２に印刷データを送信する。ステップＳ２１０８、Ｓ２１０９の処理は、それぞれ図１９におけるステップＳ１９１２、Ｓ１９１５の処理と同様である。
【００３６】
以上、本実施形態によれば、ユーザは、引継元のＭＦＰ１０１と引継先のＭＦＰ１０２に対して携帯端末１０８を順にタッチして通信を確立させることにより、直感的にＭＦＰ１０１の処理をＭＦＰ１０２に引き継がせることができる。
【００３７】
＜実施形態３＞
本実施形態では、引継元としてのＰＣ１０９、引継先としてのＰＣ１１０、非接触ＩＣカード１０３おいて、近距離無線通信に応じて動画再生又は音声再生（音声データの再生処理）を引き継ぐ例について、引継設定時と引継実施時とに分けて説明する。なお、以降の説明では説明の簡便のため動画再生を主として説明する。
【００３８】
図２２は、本発明の実施形態３に係る情報処理システムの概略を示す図である。このシステムは、情報処理端末としてＰＣ１０９、１１０、記録媒体として非接触ＩＣカード１０３を備える。情報処理端末は、ＰＣ以外にもスマートフォンやタブレットなどの端末装置に置き換えることも可能である。また、ＰＣ１０９、１１０は、Ｎ／Ｗ１０５を通して通信接続が可能である。通信方法としては、有線／無線を問わない。さらに、ＰＣ１０９、１１０は、近距離無線通信１０６によって非接触ＩＣカード１０３と通信接続が可能である。
【００３９】
ＰＣ１０９、１１０の概略構成は、図６のＰＣ１０４の概略構成に加え、近距離通信部６０８を備えるものとする。近距離通信部６０８は、ＮＦＣチップを備え、近距離無線通信１０６によって外部機器と通信接続を行い、データの送受信を制御する。
【００４０】
本実施形態において、ＩＣチップ４０３が備える不揮発性記憶領域のメモリマップは、実施形態１の図５とほぼ同様であるが、引継情報５０４が含むデータ情報５０５、位置情報５０６、進行情報５０７、設定情報５０８の詳細が異なる。本実施形態では、データ情報５０５は、動画データの名称などの動画データを一意に識別する際の識別子となる情報である。位置情報５０６は、動画データの保存先の装置のＩＰアドレス、ＭＡＣアドレスなどの情報である。進行情報５０７は、動画再生の引継要求が発生した時点における動画の冒頭からの経過時間や再生時間、チャプター情報など、動画再生の進行状況を示す情報である。設定情報５０８は、音量やスクリーンサイズ（画角）字幕設定、音声設定（二ヶ国語設定含む）など、動画再生引継時に適用されていた設定情報が含まれている。
【００４１】
図２３は、動画再生引継設定時におけるＰＣ１０９の処理フローである。ステップＳ２３０１では、ＰＣ１０９が備えるＣＰＵ６０１は、操作部６０５を介して動作再生を要求する操作情報を受け取る。その後、ＣＰＵ６０１は、操作情報に基づき、記録装置６０７に保存された動画データの中から再生する動画データを決定する。そして、ＣＰＵ６０１は、表示部６０６を介して動画再生を開始する。ステップＳ２３０２では、ＣＰＵ６０１は、非接触ＩＣカード１０３と近距離通信部６０８の近接を検知する。ステップＳ２３０３では、ＣＰＵ６０１は、表示部６０６を制御することで動画再生を中断する。ステップＳ２３０４では、ＣＰＵ６０１は、引継情報を生成する。引継情報の生成時、ＣＰＵ６０１は、引継情報に含む動画データ情報として再生を中断した動画データのファイル名を記録する。また、引継情報に含む位置情報としてＣＰＵ６０１が管理するＰＣ１０９のＩＰアドレスを記録する。また、引継情報に含む進行情報としてステップＳ２３０２にて動画再生を中断した際の冒頭からの経過時間を記録する。また、引継情報に含む設定情報として動画再生を中断した際の設定情報を記録する。その後、ＣＰＵ６０１は、非接触ＩＣカード１０３から引継情報数を読み込み、読み込んだ値を１つ加算し、生成した引継情報と合わせてＲＡＭ６０３に記録する。その後、ＣＰＵ６０１は、近距離通信部６０８を介し、非接触ＩＣカード１０３に対してＲ／Ｗモードで動作し、ＩＣチップ４０３の使用可能領域５０２に引継情報数、引継情報を書き込む。
【００４２】
図２４は、動画再生引継実施時におけるＰＣ１０９、１１０の処理フローである。ステップＳ２４０１では、ＰＣ１１０が備えるＣＰＵ６０１は、非接触ＩＣカード１０３と近距離通信部６０８の近接を検知する。ステップＳ２４０２では、ＣＰＵ６０１は、近距離通信部６０８を介し、非接触ＩＣカード１０３に対し、Ｒ／Ｗモードで動作し、ＩＣチップ４０３を介し、使用可能領域５０２に記録された引継情報数、引継情報を読み込み、ＲＡＭ６０３に記録する。非接触ＩＣカード１０３に引継情報が保存されていない場合は、ステップＳ２４０３に進まず、処理を終了する。ステップＳ２４０３では、ＣＰＵ６０１は、表示部６０６に引継情報の詳細を表示し、ユーザに提示する。ステップＳ２４０４では、ＣＰＵ６０１は、操作部６０５を介してユーザ操作情報を受け取り、動画再生を引き継ぐ対象の引継情報を決定する。非接触ＩＣカード１０３に引継情報が１つしか記録されていない場合などは、ユーザからの操作を受け付けることなく一意に決定してもよい。引継情報を決定した際、ＣＰＵ６０１は、決定した引継情報を非接触ＩＣカード１０３から削除する。ステップＳ２４０５では、ＣＰＵ６０１は、ステップＳ２４０４で決定した引継情報に含まれる動画データ情報、位置情報を参照し、位置情報が示す対象（本実施形態では、ＰＣ１０９）にＮ／Ｗ通信部６０４を介して動画データ情報を含む動画データ要求を送信する。ステップＳ２４０６では、ＰＣ１０９が備えるＣＰＵ６０１は、Ｎ／Ｗ通信部６０４を介して動画データ要求を受け取り、内容をＲＡＭ６０３に記録する。ステップＳ２４０７では、ＣＰＵ６０１は、ＰＣ１１０から受け取った動画データ情報に含まれるファイル名などを識別子として参照する。そして、ＣＰＵ６０１は、参照する識別子に基づき、記録装置６０７に保存された動画データの中から該当する動画データを特定する。その後、ＣＰＵ６０１は、動画データの要求元であるＰＣ１１０に対して、Ｎ／Ｗ通信部６０４を介して特定した動画データを送信する。ステップＳ２４０８では、ＣＰＵ６０１は、Ｎ／Ｗ通信部６０４を介してＰＣ１０９から動画データを受信する。ステップＳ２４０９では、ステップＳ２４０８にて受信した動画データを記録装置６０７に保存する。ステップＳ２４１０では、ＣＰＵ６０１は、表示部６０６を介し、ステップＳ２４０４で決定した引継情報に含まれる進行情報を参照することにより、進行情報が示す動画の冒頭からの経過時間から再生を開始する。この際、ＣＰＵ６０１は、決定した引継情報に含まれる設定情報を参照し、設定情報に沿って動画を再生する。
【００４３】
ステップＳ２４１０では、ステップＳ２４０３にて決定した引継情報にＰＣ１１０が対応していない設定情報が含まれていた場合、ＰＣ１１０は、それらの情報を無視し、ＰＣ１１０が備える機能で動画を再生する。例えば、引継先のＰＣ１１０が対応していないスクリーンサイズが指定されている場合、ＰＣ１１０は、自身が対応しているスクリーンサイズで動画を再生する。もしくは、ＰＣ１１０は、表示部６０６にエラーを表示して動画を再生しなくてもよい。もしくは、ＰＣ１１０は、表示部６０６にエラーを表示し、操作部６０５を介して動画を再生するか否かをユーザに促してもよい。
【００４４】
本実施形態では、動画データをＰＣ１０９から受信したが、これらの動画データはインターネット上の動画配信サイトなどから受信してもよい。その場合、ステップＳ２３０４では、ＣＰＵ６０１は、引継情報に含む位置情報としてインターネット上のＵＲＬを記録する。また、本実施形態におけるＰＣ１０９、１１０は、図６の概略構成に加えてスピーカーなどの音声処理装置を備え、引継情報に含まれる設定情報として音量情報を引き継いでもよい。
【００４５】
なお、動画再生や音声再生においては、引継元でユーザが引継を指示した箇所から引継先で再生すると、情報の欠落などが考えられる。そこで、引継元で引継の指示があった箇所から所定の時間だけ遡った箇所を引継情報に含めたり、引継先で引継情報に含まれる経過時間から所定の時間だけ遡った箇所から再生したりしてもよい。なお、動画再生や音声再生においても、引継元と引継先を同じ装置にしてもよい、その場合はユーザにとってはサスペンド処理と同様になる。なお、引継元の処理を軽くする方がサスペンドとしての引継を実行しようとするユーザにとっての操作性は好ましいと考えられるので、引継元では遡らず引継先で再生開始の時点を遡るようにしてもよい。
【００４６】
以上、本実施形態によれば、ユーザは、引継元のＰＣ１０９と引継先のＰＣ１１０に対して非接触ＩＣカード１０３を順にタッチして通信を確立させることにより、直感的にＰＣ１０９の処理をＰＣ１１０に引き継がせることができる。
【図１】
2014177069.tif 000003
【図２】
2014177069.tif 000004
【図３】
2014177069.tif 000005
【図４】
2014177069.tif 000006
【図５】
2014177069.tif 000007
【図６】
2014177069.tif 000008
【図７】
2014177069.tif 000009
【図８】
2014177069.tif 000010
【図９】
2014177069.tif 000011
【図１０】
2014177069.tif 000012
【図１１】
2014177069.tif 000013
【図１２】
2014177069.tif 000014
【図１３】
2014177069.tif 000015
【図１４】
2014177069.tif 000016
【図１５】
2014177069.tif 000017
【図１６】
2014177069.tif 000018
【図１７】
2014177069.tif 000019
【図１８】
2014177069.tif 000020
【図１９】
2014177069.tif 000021
【図２０】
2014177069.tif 000022
【図２１】
2014177069.tif 000023
【図２２】
2014177069.tif 000024
【図２３】
2014177069.tif 000025
【図２４】
2014177069.tif 000026